(57)【要約】【課題】額縁の表面側に当接される部位を備えた枠材に中間枠を溶着しても美観に優れた窓ユニットを提供する。【解決手段】室内外を連通する開口に設けられ一対の縦枠と一対の横枠とが矩形状に枠組みされた四周枠と、前記一対の縦枠または前記一対の横枠間に掛け渡された中間枠と、を有する枠体を備えた窓ユニットであって、前記一対の縦枠または前記一対の横枠には、長手方向に沿って室内側に突出し額縁が当接される額縁当接部が設けられ、前記中間枠が掛け渡される部位に形成されて前記額縁当接部を分断して当該額縁当接部より前記四周枠の外周側に至る切り込み部に、前記中間枠の端部が当接されて溶着されており、分断された前記額縁当接部間には、当該額縁当接部間を覆うカバー部材が設けられている。【選択図】図２
2010196359.tif 000002
【特許請求の範囲】
【請求項１】
室内外を連通する開口に設けられ一対の縦枠と一対の横枠とが矩形状に枠組みされた四周枠と、前記一対の縦枠または前記一対の横枠間に掛け渡された中間枠と、を有する枠体を備えた窓ユニットであって、
前記一対の縦枠または前記一対の横枠には、長手方向に沿って室内側に突出し額縁が当接される額縁当接部が設けられ、前記中間枠が掛け渡される部位に形成されて前記額縁当接部を分断して当該額縁当接部より前記四周枠の外周側に至る切り込み部に、前記中間枠の端部が当接されて溶着されており、
分断された前記額縁当接部間には、当該額縁当接部間を覆うカバー部材が設けられていることを特徴とする窓ユニット。
【請求項２】
請求項１に記載の窓ユニットであって、
前記一対の縦枠または前記一対の横枠は、前記切り込み部より前記四周枠の外周側に前記カバー部材が係止される係止部を有し、
前記カバー部材は、前記長手方向の端部が前記四周枠の内周側にて、分断された前記額縁当接部間に掛け渡された覆い部と、前記覆い部の、前記額縁当接部の基端側から前記覆い部と交差する方向であって前記四周枠の外周側に延出された外側延出部と、前記外側延出部から室外側に突出されて前記係止部に係止される係止片とを有していることを特徴とする窓ユニット。
【請求項３】
請求項２に記載の窓ユニットであって、
前記カバー部材は、前記係止片が前記係止部に係止されると、当該カバー部材の弾性により前記覆い部が前記額縁当接部側に付勢されることを特徴とする窓ユニット。
【請求項４】
請求項１に記載の窓ユニットであって、
前記中間枠は、見込み方向に貫通する開孔を有し、
前記カバー部材は、前記長手方向の端部が前記四周枠の内周側にて、分断された前記額縁当接部間に掛け渡された覆い部と、前記覆い部の、前記額縁当接部の基端側から前記覆い部と交差する方向であって前記四周枠の内周側に延出された内側延出部と、内側延出部から室外側に突出されて前記開孔に嵌合される嵌合片とを有していることを特徴とする窓ユニット。
【請求項５】
請求項１乃至請求項４のいずれかに記載の窓ユニットであって、
前記カバー部材は樹脂製であることを特徴とする窓ユニット。
【請求項６】
請求項１乃至請求項６のいずれかに記載の窓ユニットであって、
前記一対の縦枠、前記一対の横枠、前記中間枠は、いずれも樹脂製であることを特徴とする窓ユニット。
【発明の詳細な説明】
【技術分野】
【０００１】
本発明は、室内外を連通する開口に設けられた四周枠に掛け渡された中間枠を有する枠体を備えた窓ユニットに関する。
【背景技術】
【０００２】
従来、室内外を連通する開口に設けられた四周枠に掛け渡された中間枠を有する枠体を備えた窓ユニットとしては、例えば、連窓に用いられる枠体であって、下枠にＶ字状の切り欠き部を形成し、このＶ字状の切り欠き部の傾斜角度に合わせて、端部をＶ字状に形成した方立を、下枠の切り欠き部に当接させて溶着し一体化した枠体を有するサッシが知られている (例えば、特許文献１参照)。
【先行技術文献】
【特許文献】
【０００３】
【特許文献１】実公平３−１２１５２号公報
【発明の概要】
【発明が解決しようとする課題】
【０００４】
窓ユニットの枠体を構成する縦枠及び横枠（以下、枠材ともいう）には、内装壁との取り合い部分をきれいに納めるために、室内側に突出されて額縁の表面側に当接される部位を備えたものがある。このように額縁の表面側に当接される部位が設けられた枠材に、方立てや無目のような中間枠を溶着する際に、枠材に従来のようなＶ字状の切り欠き部を形成すると、切り欠き部により額縁の表面側に当接される部位が分断されて美観が損なわれる虞があるという課題がある。
【０００５】
本発明は、かかる課題に鑑みてなされたものであり、その目的とするところは、額縁の表面側に当接される部位を備えた枠材に中間枠を溶着しても美観に優れている窓ユニットを提供することにある。
【課題を解決するための手段】
【０００６】
かかる目的を達成するために本発明の窓ユニットは、室内外を連通する開口に設けられ一対の縦枠と一対の横枠とが矩形状に枠組みされた四周枠と、前記一対の縦枠または前記一対の横枠間に掛け渡された中間枠と、を有する枠体を備えた窓ユニットであって、前記一対の縦枠または前記一対の横枠には、長手方向に沿って室内側に突出し額縁が当接される額縁当接部が設けられ、前記中間枠が掛け渡される部位に形成されて前記額縁当接部を分断して当該額縁当接部より前記四周枠の外周側に至る切り込み部に、前記中間枠の端部が当接されて溶着されており、分断された前記額縁当接部間には、当該額縁当接部間を覆うカバー部材が設けられていることを特徴とする窓ユニットである。
【０００７】
このような窓ユニットによれば、一対の縦枠または一対の横枠に掛け渡して中間枠を備える際に、一対の縦枠または一対の横枠に形成される切り込み部を、額縁当接部より四周枠の外周側に至るように形成することにより額縁当接部が分断されたとしても、分断された額縁当接部間をカバー部材で覆うので、額縁当接部の分断された部分においても額縁当接部と同様に額縁が当接される部位を設けることが可能である。また、カバー部材が額縁当接部間を覆うので、額縁当接部の分断された端部はカバー部材に覆われて露出しない。このため、額縁当接部を備えた枠材に、額縁当接部より四周枠の外周側に至るような切り込み部を形成して中間枠を溶着しても美観に優れている窓ユニットを提供することが可能である。
【０００８】
かかる窓ユニットであって、前記一対の縦枠または前記一対の横枠は、前記切り込み部より前記四周枠の外周側に前記カバー部材が係止される係止部を有し、前記カバー部材は、前記長手方向の端部が前記四周枠の内周側にて、分断された前記額縁当接部間に掛け渡された覆い部と、前記覆い部の、前記額縁当接部の基端側から前記覆い部と交差する方向であって前記四周枠の外周側に延出された外側延出部と、前記外側延出部から室外側に突出されて前記係止部に係止される係止片とを有していることが望ましい。  
このような窓ユニットによれば、カバー部材は、覆い部の長手方向の端部が、四周枠の内周側にて、分断された額縁当接部間に掛け渡され、額縁当接部の基端側から四周枠の外周側に延出された外側延出部が有する係止片が、一対の縦枠または一対の横枠の、切り込み部より四周枠の外周側に形成された係止部に係止されるので、覆い部を分断された額縁当接部間に四周枠の内周側から掛け渡して係止片を係止部に係止するだけで、カバー部材を容易に取り付けることが可能である。
【０００９】
かかる窓ユニットであって、前記カバー部材は、前記係止片が前記係止部に係止されると、当該カバー部材の弾性により前記覆い部が前記額縁当接部側に付勢されることが望ましい。  
このような窓ユニットによれば、カバー部材は、係止片が係止部に係止されると、当該カバー部材の弾性により覆い部が額縁当接部側に付勢されることにより覆い部の額縁当接部と重なる部位が額縁当接部に押圧されるので、覆い部と額縁当接部とが密着して安定し外れにくい状態でカバー部材を取り付けることが可能である。
【００１０】
かかる窓ユニットであって、前記中間枠は、見込み方向に貫通する開孔を有し、前記カバー部材は、前記長手方向の端部が前記四周枠の内周側にて、分断された前記額縁当接部間に掛け渡された覆い部と、前記覆い部の、前記額縁当接部の基端側から前記覆い部と交差する方向であって前記四周枠の内周側に延出された内側延出部と、内側延出部から室外側に突出されて前記開孔に嵌合される嵌合片とを有していることとしてもよい。  
このような窓ユニットによれば、カバー部材は、覆い部の長手方向の端部が、四周枠の内周側にて、分断された額縁当接部間に掛け渡され、額縁当接部の基端側から四周枠の内周側に延出された内側延出部が有する嵌合片が、中間枠に設けられた見込み方向に貫通する開孔に係止されるので、覆い部を分断された額縁当接部間に四周枠の内周側から掛け渡すとともに、そのまま中間枠側に押圧して嵌合片を開孔に係止することが可能である。このため、カバー部材を容易に取り付けることが可能である。
【００１１】
かかる窓ユニットであって、前記カバー部材は樹脂製であることが望ましい。  
このような窓ユニットによれば、係止される部位が弾性変形しやすいカバー部材を形成することが可能であり、取り付けが容易なカバー部材を提供することが可能である。
【００１２】
かかる窓ユニットであって、前記一対の縦枠、前記一対の横枠、前記中間枠は、いずれも樹脂製であることが望ましい。  
このような窓ユニットによれば、樹脂製の、一対の縦枠または一対の横枠と中間枠とは溶着し易く仕上がりがきれいなので、容易により美観に優れた窓ユニットを提供することが可能である。
【発明の効果】
【００１３】
本発明によれば、額縁の表面側に当接される部位を備えた枠材に中間枠を溶着しても美観に優れた窓ユニットを提供することが可能である。
【図面の簡単な説明】
【００１４】
【図１】第１実施形態に係る窓ユニット室内側から見た外観図である。
【図２】第１実施形態に係る窓ユニットの枠体とカバー部材を説明するための斜視図である。
【図３】第１実施形態に係るカバー部材の取り付け状態を示す断面図である。
【図４】第２実施形態に係る窓ユニットの枠体とカバー部材を説明するための斜視図である。
【図５】第２実施形態に係るカバー部材の取り付け状態を示す断面図である。
【図６】第２実施形態に係るカバー部材を覆い部側から見た図である。
【発明を実施するための形態】
【００１５】
以下、本発明の第１実施形態に係る窓ユニットについて図面を参照して説明する。  
本実施形態では、窓ユニットとして、図１に示すような、建物の開口の一部を閉塞するＦＩＸ窓２１と回動されて開閉自在に構成された開閉窓２２とが、上枠と下枠との間に設けられた方立により見付け方向に連ねて設けられた連窓用の窓ユニット１０を例に挙げて説明する。
【００１６】
以下の説明においては、窓ユニット１０を室内側から見たときに上下となる方向を上下方向、左右となる方向を左右方向または見付け方向、室内外方向（奥行き方向）を見込み方向として示す。
【００１７】
本実施形態の窓ユニット１０は、例えば室内外を連通する開口に設けられ、一対の縦枠と一対の横枠とが矩形状に枠組みされた四周枠１１内にて、一対の横枠、すなわち、上枠１２と下枠１３との間に掛け渡されて、隣接するガラスに共用され一対の横枠間に掛け渡される中間枠としての方立１７を備えた枠体２０を有している。
【００１８】
四周枠を構成する上枠１２、下枠１３、及び左右の縦枠１４、１５は、いずれも樹脂製の押出成形部材であり、隣接する上枠１２、下枠１３、及び左右の縦枠１４、１５の斜めに切断された両端部が、互いに突き合わされて溶着されることにより矩形状に接合されている。  
また、矩形状に枠組みされた四周枠１１の見付け方向におけるほぼ中央に方立１７が溶着されて枠体２０が形成されている。
【００１９】
上枠１２と方立１７との溶着部、及び、下枠１３と方立１７との溶着部は、同一の構造なので、ここでは下枠１３と方立１７との接合部について説明する。
【００２０】
下枠１３は、図２、図３に示すように、見付け方向に連通し断面がほぼ矩形状の中空部を有し、上部にガラス３が設けられる枠本体部１３ａと、枠本体部１３ａ室内側の上部から上方に突出し、室内側からガラス３を保持するための室内側横壁部１３ｂと、枠本体部１３ａの下端側から室外側に突出された棚部１３ｃと、枠本体部１３ａにおける見込み方向の中央部から下方に突出されて躯体（不図示）に固定される下取付部１３ｄと、枠本体部１３ａの上面と同じ高さにて長手方向に沿って形成され室内側に突出されて額縁１８の上面に当接される額縁当接部１３ｅとを有している。
【００２１】
枠本体部１３ａの室外側の上部には下方に窪ませて、ガラス３の室外側の部位を押さえる押縁１９が嵌合される押縁嵌合部１３ｆが設けられている。また、枠本体部１３ａの室内側の面には、室内側に開放された溝部１３ｇが長手方向に沿って設けられており、室内側の面における溝部１３ｇの上縁には、僅かに下方に突出させて、後述するカバー部材３０が係止される係止部１３ｈが形成されている。
【００２２】
方立１７は、上下方向に連通する断面がほぼ矩形状の中空部を有し、見付け方向に設けられるガラス３と並ぶように配置される方立本体１７ａと、方立本体１７ａの側部であって室内側の部位から見付け方向の左右にそれぞれ突出し、室内側からガラス３を保持するための室内側縦壁部１７ｂと、を有している。方立本体１７ａの側部であって室外側には、方立本体の内方に窪ませて、ガラス３の室外側の部位を押さえる押縁（不図示）が嵌合される押縁嵌合部１７ｃが設けられている。
【００２３】
そして、下枠１３に方立１７を接合する際には、方立１７の下端を、方立１７の見付け方向の幅における中央から４５度ずつ振り分けて先端が９０度になるように切断しておく。下枠１３は、上枠１２と対向する側であって方立１７を接合する部位の見付け方向における中央から４５度ずつ振り分けて９０度をなすような切り込み部１３ｉを形成しておく。このとき、下枠１３の切り込み部１３ｉに上方から方立１７の下端を載置すると、室内側横壁部１３ｂと室内側縦壁部１７ｂとの切断面において、下枠１３の枠本体部１３ａの上面及び室外側面と方立１７の方立本体１７ａの左右の側面及び室外側の面との切り口とが重なり、方立１７が下枠１３上にて鉛直に立つように下枠１３及び方立１７を切断しておく。
【００２４】
また、下枠１３に切り込み部１３ｉを形成した際には、下枠１３が有する額縁当接部１３ｅより下側、すなわち額縁当接部１３ｅより四周枠１１の外周側に至る位置まで切り込み部１３ｉが形成されているので、方立１７が溶着されている部位では、額縁当接部１３ｅが分断されている。このため、額縁当接部１３ｅが分断されている部位を覆うための樹脂製のカバー部材３０が設けられている。
【００２５】
カバー部材３０は、分断された額縁当接部１３ｅの端部間に掛け渡されて、見付け方向の両端部３０ｈが分断された額縁当接部１３ｅの端部１３ｋにそれぞれ載置される覆い部３０ａと、覆い部３０ａの室外側の縁３０ｂから下方に垂設された垂設壁部３０ｃと、垂設壁部３０ｃの下端に設けられ室外側に突出された係止片３０ｄと、覆い部３０ａの室内側の縁３０ｅから額縁当接部１３ｅの厚みとほぼ同じ長さだけ下方に延出された延出部３０ｆとを有している。ここで、垂設壁部３０ｃは、額縁当接部１３ｅの基端側としての室外側の縁３０ｂから覆い部３０ａと交差する方向であって四周枠１１の外周側に延出された外側延出部の一例に相当する。
【００２６】
覆い部３０ａは、見付け方向において、分断された額縁当接部１３ｅの端部１３ｋの間隔より長く形成されており、上面は室内側の縁３０ｅと見付け方向の両端部との近傍に中央側から端部に向かって厚みが薄くなるような傾斜が設けられている。
【００２７】
垂設壁部３０ｃと延出部３０ｆとは、分断された額縁当接部１３ｅの端部１３ｋの間隔より僅かに狭く形成されており、覆い部３０ａが分断された額縁当接部１３ｅの端部１３ｋ間に掛け渡された際に、垂設壁部３０ｃは額縁当接部１３ｅの端部１３ｋ間から下枠１３の枠本体部１３ａの室内側の面に沿って配置され、延出部３０ｆは、額縁当接部１３ｅの端部１３ｋ間に位置している。
【００２８】
垂設壁部３０ｃの下端から室外側に突出された係止片３０ｄは、覆い部３０ａが分断された額縁当接部１３ｅの端部１３ｋ間に掛け渡された際に下枠１３の係止部１３ｈとほぼ同じ高さに配置されるように構成され、係止片３０ｄの先端には上方に突出する突起３０ｇが設けられている。
【００２９】
また、覆い部３０ａと垂設壁部３０ｃとがなす角度は、下枠１３の枠本体部１３ａの室内側の面と額縁当接部１３ｅの上面とがなす角度より僅かに小さく形成されている。例えば、下枠１３の枠本体部１３ａの室内側の面と額縁当接部１３ｅの上面とがなす角度が９０度であれば、覆い部３０ａと垂設壁部３０ｃとがなす角度は１度小さい８９度に形成されている。
【００３０】
カバー部材３０の取り付けは、まず、下枠１３と方立１７とが溶着された後に、分断されている額縁当接部１３ｅの端部１３ｋ間を覆うように、覆い部３０ａの見付け方向における両端部３０ｈを額縁当接部１３ｅの端部１３ｋ上に載置し、垂設壁部３０ｃと延出部３０ｆとが分断された額縁当接部１３ｅの端部１３ｋ間に位置するように上方または室内側から配置する。
【００３１】
次に、垂設壁部３０ｃを枠本体部１３ａ側に押圧すると、係止片３０ｄは係止部１３ｈが設けられている溝部１３ｇに挿入されて、係止片３０ｄの先端に設けられた突起３０ｇが係止部１３ｈと係合して係止片３０ｄが係止される。このとき、覆い部３０ａと垂設壁部３０ｃとがなす角度は、下枠１３の枠本体部１３ａの室内側の面と額縁当接部１３ｅの上面とがなす角度より僅かに小さく形成されているので、覆い部３０ａと垂設壁部３０ｃとが開かれるようにカバー部材３０が弾性変形することにより、覆い部３０ａが額縁当接部１３ｅ側に付勢されて額縁当接部１３ｅの上面に押圧されるため、カバー部材３０が安定した状態で下枠１３に取り付けられる。
【００３２】
第１実施形態の窓ユニット１０によれば、一対の横枠としての上枠１２と下枠１３とに掛け渡して方立１７を取り付ける際に、上枠１２及び下枠１３に形成される切り込み部１３ｉは、額縁当接部１３ｅを分断して当該額縁当接部１３ｅより四周枠１１の外周側に至るように形成されているので、上枠１２及び下枠１３と方立１７とが溶着される溶着部分の長さをより長くすることが可能である。このため、十分な強度を備えた枠体２０を形成することが可能である。
【００３３】
また、上枠１２及び下枠１３に形成される切り込み部１３ｉを、額縁当接部１３ｅより四周枠１１の外周側に至るように形成することにより額縁当接部１３ｅが分断されたとしても、分断された額縁当接部１３ｅ間をカバー部材３０で覆うので、額縁当接部１３ｅの分断された部分においても額縁当接部１３ｅと同様に額縁１８が当接される部位を設けることが可能である。そして、カバー部材３０が額縁当接部１３ｅ間を覆うことにより額縁１８と枠本体部１３ａとの境界部分を、窓ユニット１０における見付け方向の全域に渡って覆うことが可能であり、また、額縁当接部１３ｅの分断された端部１３ｋをカバー部材３０にて覆うことが可能である。このため、額縁当接部１３ｅを備えた上枠１２及び下枠１３に、額縁当接部１３ｅより四周枠１１の外周側に至るような切り込み部１３ｉを形成して方立１７を溶着しても美観に優れている窓ユニット１０を提供することが可能である。
【００３４】
また、カバー部材３０は覆い部３０ａを、分断された額縁当接部１３ｅ間に四周枠１１の内周側からから掛け渡して係止片３０ｄを係止部１３ｈに係止するだけで、カバー部材３０を容易に取り付けることが可能である。
【００３５】
また、カバー部材３０は樹脂製なので弾性変形しやすく、係止片３０ｄが係止部１３ｈに係止されると、当該カバー部材３０の弾性により覆い部３０ａが額縁当接部１３ｅ側に付勢されることにより覆い部３０ａの額縁当接部１３ｅと重なる部位が額縁当接部１３ｅに押圧されるので、覆い部３０ａと額縁当接部１３ｅとが密着して安定した状態でカバー部材３０を取り付けることが可能である。
【００３６】
上枠１２、下枠１３、及び左右の縦枠１４、１５は、いずれも樹脂製なので溶着し易く仕上がりがきれいなので、容易に形成可能で、かつ、より美観に優れた窓ユニット１０を提供することが可能である。
【００３７】
第２実施形態の窓ユニット１０においても、図１に示すように、上枠１２、下枠１３、及び左右の縦枠１４、１５の両端部が斜めに切断されて互いに突き合わされて溶着された四周枠１１の上枠１２と下枠１３に、額縁当接部１３ｅより四周枠１１の外周側に至るように形成された切り込み部１３ｉに方立１７が溶着されている構成は、上記第１実施形態と同様である。以下の説明においては、上記第１実施形態と同様の部材には同符号を付して、その説明を省略する。また、第２実施形態においても、下枠１３と方立１７との接合部について説明する。
【００３８】
第２実施形態の方立１７には、図４に示すように、先端が９０度になるように切断された部位の見付け方向における中央に、第２実施形態のカバー部材３２を取り付けるための見込み方向に貫通する開孔としての嵌合孔１７ｄが設けられている。
【００３９】
第２実施形態のカバー部材３２は、図５、図６に示すように、分断された額縁当接部１３ｅの端部１３ｋ間に掛け渡されて、見付け方向の両端部３２ｆが分断された額縁当接部１３ｅの端部１３ｋにそれぞれ載置される覆い部３２ａと、覆い部３２ａの室外側の縁から上方に立設された立設壁部３２ｂと、立設壁部３２ｂの室外側の面から突出された嵌合片３２ｃと、覆い部３２ａの室内側の縁から額縁当接部１３ｅの厚みとほぼ同じ長さだけ下方に延出された延出部３２ｄとを有している。ここで、立設壁部３２ｂは、額縁当接部１３ｅの基端側としての室外側の縁から覆い部３２ａと交差する方向であって四周枠１１の内周側に延出された内側延出部の一例に相当する。
【００４０】
立設壁部３２ｂは、見付け方向における覆い部３２ａの幅のほぼ半分であり、見付け方向において覆い部３２ａの中央に設けられ、枠体２０に取り付けられた際に方立１７に設けられた嵌合孔１７ｄを室内側から覆うように形成されている。
【００４１】
嵌合片３２ｃは、立設壁部３２ｂから室外側に向かって突出され、見付け方向に互いに間隔を隔てて配置された対をなす部材であり、嵌合片３２ｃの先端には、嵌合片３２ｃが嵌合孔１７ｄに挿入されて係止される係止突部３２ｅが、対をなす嵌合片３２ｃが対向する側とは反対方向に向かって突出されている。
【００４２】
また、覆い部３２ａと立設壁部３２ｂとがなす角度は、下枠１３の枠本体部１３ａの室内側の面と額縁当接部１３ｅの上面とがなす角度より僅かに大きく形成されている。例えば、下枠１３の枠本体部１３ａの室内側の面と額縁当接部１３ｅの上面とがなす角度が９０度であれば、覆い部３２ａと立設壁部３２ｂとがなす角度は１度大きい９１度に形成されている。
【００４３】
カバー部材３２の取り付けは、まず、下枠１３と方立１７とが溶着された後に、分断されている額縁当接部１３ｅの端部１３ｋ間を覆うように覆い部３２ａの見付け方向における両端部３２ｆを、額縁当接部１３ｅの端部１３ｋ上に載置し、延出部３２ｄが分断された額縁当接部１３ｅの端部１３ｋ間に位置するように上方または室内側から配置する。
【００４４】
次に、立設壁部３２ｂを下枠１３側に押圧すると、嵌合片３２ｃは方立１７に設けられている嵌合孔１７ｄに挿入されて、嵌合片３２ｃの先端に設けられた係止突部３２ｅが嵌合孔１７ｄと係合して嵌合片３２ｃか係止される。このとき、覆い部３２ａと立設壁部３２ｂとがなす角度は、下枠１３の室内側横壁部１３ｂの室内側の面と額縁当接部１３ｅの上面とがなす角度より僅かに大きく形成されているので、覆い部３２ａと立設壁部３２ｂとが圧縮されるようにカバー部材３２が弾性変形することにより、覆い部３２ａが額縁当接部１３ｅ側に付勢されて額縁当接部１３ｅの上面に押圧されるため、カバー部材３２が安定した状態にて枠体２０に取り付けられる。
【００４５】
第２実施形態の窓ユニット１０によれば、第１実施形態と同様に、溶着部分の長さが長く、十分な強度を備え、分断された額縁当接部１３ｅ間を覆い部３２ａにて覆って額縁当接部１３ｅの分断された端部１３ｋが露出しない美観に優れた窓ユニット１０を提供することが可能である。
【００４６】
また、カバー部材３２は樹脂製なので、嵌合片３２ｃが弾性変形しやすいカバー部材３２を形成することが可能であり、カバー部材３２を容易に取り付けることが可能である。また、上枠１２、下枠１３、及び左右の縦枠１４、１５は、いずれも樹脂製なので溶着し易く仕上がりがきれいなので、容易に形成可能で、かつ、より美観に優れた窓ユニット１０を提供することが可能である。
【００４７】
さらに、カバー部材３２は、覆い部３２ａの長手方向の端部３２ｆが、四周枠１１の内周側にて、分断された額縁当接部１３ｅ間に掛け渡され、額縁当接部１３ｅの基端側から四周枠１１の内周側に延出された立設壁部３２ｂが有する嵌合片３２ｃが、方立１７に設けられた見込み方向に貫通する嵌合孔１７ｄに挿入されて係止突部３２ｅが係止されるので、覆い部３２ａを分断された額縁当接部１３ｅ間に四周枠１１の内周側から掛け渡すとともに、そのまま方立１７側に押圧してカバー部材３２を嵌合孔１７ｄに係止することが可能である。このため、カバー部材３２を容易に取り付けることが可能である。
【００４８】
上記実施形態においては、四周枠１１に方立１７が設けられた連窓用の窓ユニット１０について説明したが、これに限らず、四周枠の縦枠間に掛け渡された無目を有する段窓用の窓ユニットであっても構わない。
【００４９】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５０】
１０  窓ユニット、１１  四周枠、１２  上枠、１３  下枠、
１３ｅ  額縁当接部、１３ｈ  係止部、１３ｉ  切り込み部、
１３ｋ  分断された端部、１７  方立、１７ｄ  嵌合孔、
２０  枠体、３０  カバー部材、３０ａ  覆い部、３０ｃ  垂設壁部、
３０ｄ  係止片、３０ｇ  突起、３０ｈ  長手方向の端部、
３２  カバー部材、３２ａ  覆い部、３２ｂ  立設壁部、
３２ｃ  嵌合片、３２ｅ  係止突部、３２ｆ  長手方向の端部
【図１】
2010196359.tif 000003
【図２】
2010196359.tif 000004
【図３】
2010196359.tif 000005
【図４】
2010196359.tif 000006
【図５】
2010196359.tif 000007
【図６】
2010196359.tif 000008